(57)【要約】【目的】  葬儀又は結婚披露宴場の職員が行う場合など、パソコンなどの知識が乏しくても容易に且つ極めて短時間内に故人又は新郎新婦紹介編集ファイルを作成することができる故人又は新郎新婦紹介用編集ファイルの簡易作成システム及び方法を提供する。【構成】  故人又は新郎新婦に関する複数の写真画像ファイルを表示しながら、前記複数の写真画像ファイルの中の任意の一つ又は複数を選択して、作業ウインドウの中に表示された複数の写真枠のいずれかにドロップさせることにより、各写真画像ファイルの画像の編集ファイル中での表示順序を入力できるようにし、これにより、故人又は新郎新婦に関する複数の複数の写真をユーザーが希望する順序で表示することができる葬儀又は結婚披露宴用の故人又は新郎新婦紹介編集ファイルを簡易に作成できるようにした。また、課金サーバーにアクセスして所定の支払い情報を送信し、この送信と引き換えに受信する鍵情報を得ることを条件に、故人又は新郎新婦紹介編集ファイルを作成するようにした。【選択図】    図１
2006202045.tif 000002
【特許請求の範囲】
【請求項１】
故人又は新郎新婦に関する複数の写真をそれぞれ読み取って各写真画像ファイルを取得するための写真読み取り手段と、
前記写真読み取り手段により取得された各写真画像ファイルを記録するための写真画像ファイル記録手段と、
前記写真画像ファイル記録手段に記録された複数の写真画像ファイルをそれらの中の任意の一つ又は複数を選択できるように一覧で表示するための写真ウインドウを、表示するための写真ウインドウ表示手段と、
複数の写真枠を所定の順番に並べて表示するための作業ウインドウを表示するための作業ウインドウ表示手段と、
前記写真ウインドウに表示された複数の写真画像ファイルのいずれかを選択し、その選択した写真画像ファイルを前記作業ウインドウの複数の写真枠のいずれかにドロップすることにより、前記ドロップした写真画像ファイルの画像の編集ファイル中での表示順序を入力するための表示順序入力手段と、
前記作業ウインドウの中の各写真枠に互いに異なる写真画像ファイルがドロップされたとき、その各写真枠の中に前記ドロッブされた写真画像ファイルの画像を表示することにより、前記複数の写真画像ファイル画像の編集ファイル中での表示順序をユーザーが画面上で視認できるようにするための表示順序表示手段と、
前記作業ウインドウ中の各写真枠に互いに異なる写真画像ファイルがドロップされたとき、前記ドロップされた複数の写真画像ファイル、及び前記各写真画像ファイル画像の編集ファイル中での表示順序に基づいて、前記複数の写真画像ファイル画像が前記入力された表示順序で切り替え表示される編集ファイルを作成するための編集ファイル作成手段と、
を備えたことを特徴とする葬儀又は結婚披露宴における故人又は新郎新婦紹介用編集ファイルの簡易作成システム。
【請求項２】
請求項１において、前記作業ウインドウ表示手段は、前記複数の写真枠の中又は近傍に各写真枠の中にドロップされた写真画像ファイルの画像の編集ファイル中での表示パターンをユーザーが入力するための入力枠をも表示するものであり、前記編集ファイル作成手段は、前記入力枠により入力された表示パターンに基づいて前記編集ファイルを作成するものである、ことを特徴とする葬儀又は結婚披露宴における故人又は新郎新婦紹介用編集ファイルの簡易作成システム。
【請求項３】
請求項１又は２において、さらに、
前記故人又は新郎新婦に関する写真を表示するときに出力される背景画像及び音楽を含む背景編集ファイルを予め記録しておくための背景編集ファイル記録手段を備え、
前記編集ファイル作成手段は、前記背景編集ファイルに含まれる背景画像及び音楽と前記複数の写真画像ファイルとを合成することにより前記編集ファイルを作成するものである、ことを特徴とする葬儀又は結婚披露宴における故人又は新郎新婦紹介用編集ファイルの簡易作成システム。
【請求項４】
請求項１，２又は３において、さらに、
前記作業ウインドウ中の各写真枠に互いに異なる写真画像ファイルがドロップされたとき、通信ネットワークを介して課金サーバーに接続して所定の支払い情報を送信するための支払い情報送信手段と、
前記支払い情報の送信に基づいて前記課金サーバー又はこれに接続された他のサーバーから発行される所定の鍵情報を通信ネットワークを介して受信するための鍵情報受信手段と、を備え、
前記編集ファイル作成手段は、前記鍵情報受信手段からの鍵情報が入力されることを条件に、前記編集ファイルの作成を行うものである、ことを特徴とする葬儀又は結婚披露宴における故人又は新郎新婦紹介用編集ファイルの簡易作成システム。
【請求項５】
請求項４において、前記課金サーバーは、前記支払い情報を受信するとき、故人又は新郎新婦を識別するための故人又は新郎新婦識別情報をも受信し、前記課金は前記故人又は新郎新婦識別情報と関連付けて行うようにし、いったん課金した後の所定期間内は、同じ故人又は新郎新婦識別情報の編集ファイルを作成するための鍵情報の要求があったときは新たな課金をすることなく鍵情報の発行を許可するようにした、ことを特徴とする葬儀又は結婚披露宴における故人又は新郎新婦紹介用編集ファイルの簡易作成システム。
【請求項６】
葬儀又は結婚披露宴における故人又は新郎新婦紹介用編集ファイルを簡易に作成するための方法であって、
故人又は新郎新婦に関する複数の写真をそれぞれ読み取って各写真画像ファイルを取得する写真読み取りステップと、
前記写真の読み取りにより得られた各写真画像ファイルを記録する写真画像ファイル記録ステップと、
前記記録された複数の写真画像ファイルをそれらの中の任意の一つ又は複数を選択できるように一覧で表示するための写真ウインドウを、表示する写真ウインドウ表示ステップと、
複数の写真枠を所定の順番に並べて表示するための作業ウインドウを表示する作業ウインドウ表示ステップと、
前記写真ウインドウに表示された複数の写真画像ファイルのいずれかを選択し、その選択した写真画像ファイルを前記作業ウインドウの複数の写真枠のいずれかにドロップすることにより、前記ドロップした写真画像ファイルの画像の編集ファイル中での表示順序を入力する表示順序入力ステップと、
前記作業ウインドウの中の各写真枠に互いに異なる写真画像ファイルがドロップされたとき、その各写真枠の中に前記ドロッブされた写真画像ファイルの画像を表示することにより、前記複数の写真画像ファイル画像の編集ファイル中での表示順序をユーザーが画面上で視認できるようにする表示順序表示ステップと、
前記作業ウインドウ中の各写真枠に互いに異なる写真画像ファイルがドロップされたとき、前記ドロップされた複数の写真画像ファイル、及び前記各写真画像ファイル画像の編集ファイル中での表示順序に基づいて、前記複数の写真画像ファイル画像が前記入力された表示順序で切り替え表示される編集ファイルを作成する編集ファイル作成ステップと、を含むことを特徴とする葬儀又は結婚披露宴における故人又は新郎新婦紹介用編集ファイル簡易作成方法。
【請求項７】
請求項６において、前記作業ウインドウ表示ステップは、前記複数の写真枠の中又は近傍に各写真枠の中にドロップされた写真画像ファイルの画像の編集ファイル中での表示パターンをユーザーが入力するための入力枠をも表示するものであり、前記編集ファイル作成ステップは、前記入力枠により入力された表示パターンに基づいて前記編集ファイルを作成するものである、ことを特徴とする葬儀又は結婚披露宴における故人又は新郎新婦紹介用編集ファイルの簡易作成方法。
【発明の詳細な説明】
【技術分野】
【０００１】
本発明は、葬儀又は結婚披露宴用における故人又は新郎新婦紹介用編集ファイルを短時間で簡単に作成することができる葬儀又は結婚披露宴における故人又は新郎新婦紹介用編集ファイルの簡易作成システム及び方法に関する。
【背景技術】
【０００２】
従来より、葬儀又は結婚披露宴場において、祭壇の近傍に設置されたスクリーンに故人又は新郎新婦を紹介する編集ファイル（ビデオなど）を映写することが行われている（例えば、特許文献１参照）。このような故人又は新郎新婦紹介用編集ファイルは、従来は、葬儀又は結婚披露宴場の職員が故人又は新郎新婦の遺族から複数の写真を預かって持ち帰り、それらをスキャナなどで取り込んでから市販のソフトウェアを使用して編集ファイルを編集・作成するなどしていた。
【特許文献１】特許第２９１２５９７号公報
【発明の開示】
【発明が解決しようとする課題】
【０００３】
従来の葬儀又は結婚披露宴場で流される故人又は新郎新婦紹介用編集ファイルは、前述のように葬儀又は結婚披露宴場の職員が故人又は新郎新婦の遺族から複数の写真を預かって持ち帰り、それらをスキャナなどで取り込んでから編集・作成するようにしていたが、葬儀又は結婚披露宴場の職員などがパソコンなどを使用して行うため、その編集・作成には通常１日か２日以上の時間が掛かっていた。
【０００４】
しかしながら、特に葬儀の場合は故人の死亡からなるべく早く執り行う必要があり、従来のように故人の紹介用編集ファイルの作成に多くの時間を割いている状況では故人紹介用編集ファイルの作成が葬儀の開始に間に合わなくなってしまうという問題があった。
【０００５】
本発明はこのような従来技術の問題点に着目してなされたものであって、葬儀又は結婚披露宴場の職員などが故人又は新郎新婦紹介編集ファイルを編集・作成する場合に、パソコンなどの知識が乏しくても容易に且つ極めて短時間内に故人又は新郎新婦紹介編集ファイルを編集・作成することができる葬儀又は結婚披露宴における故人又は新郎新婦紹介用編集ファイルの簡易作成システム及び方法を提供することを目的とする。
【課題を解決するための手段】
【０００６】
以上のような課題を解決するための本発明による葬儀又は結婚披露宴における故人又は新郎新婦紹介用編集ファイルの簡易作成システムは、故人又は新郎新婦に関する複数の写真をそれぞれ読み取って各写真画像ファイルを取得するための写真読み取り手段と、前記写真読み取り手段により取得された各写真画像ファイルを記録するための写真画像ファイル記録手段と、前記写真画像ファイル記録手段に記録された複数の写真画像ファイルを、それらの中の任意の一つ又は複数を選択できるように表示するための写真ウインドウを表示するための写真ウインドウ表示手段と、複数の写真枠を画面上に並べて表示するための作業ウインドウを表示するための作業ウインドウ表示手段と、前記写真ウインドウに表示された複数の写真画像ファイルの任意の一つを選択し、その選択した写真画像ファイルを前記作業ウインドウ中の複数の写真枠のいずれかにドロップすることにより各写真画像ファイルの画像の編集ファイル中での表示順序を入力するための表示順序入力手段と、前記作業ウインドウの中の各写真枠に互いに異なる写真画像ファイルがドロップされたとき、前記ドロップされた複数の写真画像ファイル及びそれらの編集ファイル中での表示順序に基づいて、前記複数の写真画像ファイルの画像が前記入力された表示順序で切り替え表示される編集ファイルを編集・作成するための編集ファイル作成手段と、を備えたことを特徴とするものである。なお、前記作業ウインドウの中の各写真枠に互いに異なる写真画像ファイルがドロップされたとき、その各写真枠の中に前記ドロッブされた写真画像ファイルの画像を表示することにより前記複数の写真画像ファイル画像の編集ファイル中での表示順序をユーザーが画面上で視認可能にするための表示順序表示手段をさらに含むことが望ましい。
【０００７】
また、本発明による葬儀又は結婚披露宴における故人又は新郎新婦紹介用編集ファイルの簡易作成システムにおいては、前記作業ウインドウ表示手段は、前記複数の写真枠の中又は近傍の位置に、各写真枠の中にドロップされた写真画像ファイルの画像の編集ファイル中での表示パターンをユーザーが入力するための入力枠をも表示するものであり、前記編集ファイル作成手段は、前記入力枠により入力された表示パターンに基づいて前記編集ファイルを編集・作成するものである、ことが望ましい。
【０００８】
また、本発明による葬儀又は結婚披露宴における故人又は新郎新婦紹介用編集ファイルの簡易作成システムにおいては、前記故人又は新郎新婦に関する写真を表示するときに出力される背景画像及び音楽を含む背景編集ファイルを予め記録しておくための背景編集ファイル記録手段を備え、前記編集ファイル作成手段は、前記背景編集ファイルに含まれる背景画像及び音楽と前記複数の写真画像ファイルとを合成することにより前記編集ファイルを編集・作成するものである、ことが望ましい。
【０００９】
また、本発明による葬儀又は結婚披露宴における故人又は新郎新婦紹介用編集ファイルの簡易作成システムにおいては、前記作業ウインドウ中の各写真枠に互いに異なる写真画像ファイルがドロップされたとき、通信ネットワークを介して課金サーバーに接続して所定の支払い情報を送信するための支払い情報送信手段と、前記支払い情報の送信に基づいて前記課金サーバー又はこれに接続された他のサーバーから発行される所定の鍵情報を通信ネットワークを介して受信するための鍵情報受信手段と、を備え、前記編集ファイル作成手段は、前記鍵情報受信手段からの鍵情報が入力されることを条件に、前記編集ファイルの編集・作成を行うものである、ことが望ましい。
【００１０】
また、本発明による葬儀又は結婚披露宴における故人又は新郎新婦紹介用編集ファイルの簡易作成システムにおいては、前記課金サーバーは、前記支払い情報を受信するとき、故人又は新郎新婦を識別するための故人又は新郎新婦識別情報をも受信し、前記課金は前記故人又は新郎新婦識別情報と関連付けて行うようにし、いったん課金した後の所定期間内は、同じ故人又は新郎新婦識別情報の編集ファイルを作成するための鍵情報の要求があったときは新たな課金をすることなく鍵情報の発行を許可するようにした、ことが望ましい。
【００１１】
また、本発明による葬儀又は結婚披露宴における故人又は新郎新婦紹介用編集ファイル簡易作成方法は、故人又は新郎新婦に関する複数の写真をそれぞれ読み取って各写真画像ファイルを取得する写真読み取りステップと、前記写真の読み取りにより取得された各写真画像ファイルを記録する写真画像ファイル記録ステップと、前記記録された複数の写真画像ファイルをそれらの中の任意の一つ又は複数を選択できるように一覧で表示するための写真ウインドウを表示する写真ウインドウ表示ステップと、複数の写真枠を所定の順番に並べて表示するための作業ウインドウを表示する作業ウインドウ表示ステップと、前記写真ウインドウに表示された複数の写真画像ファイルのいずれかを選択し、その選択した写真画像ファイルを前記作業ウインドウの複数の写真枠のいずれかに画面上にドロップすることにより、前記ドロップした写真画像ファイルの画像の編集ファイル中での表示順序を入力する表示順序入力ステップと、前記作業ウインドウの中の各写真枠に互いに異なる写真画像ファイルがドロップされたとき、その各写真枠の中に前記ドロッブされた写真画像ファイルの画像を表示することにより、前記複数の写真画像ファイル画像の編集ファイル中での表示順序をユーザーが画面上で視認できるようにする表示順序表示ステップと、前記作業ウインドウ中の各写真枠に互いに異なる写真画像ファイルがドロップされたとき、前記ドロップされた複数の写真画像ファイル、及び前記各写真画像ファイル画像の編集ファイル中での表示順序に基づいて、前記複数の写真画像ファイル画像が前記入力された表示順序で切り替え表示される編集ファイルを作成する編集ファイル作成ステップと、を含むことを特徴とするものである。
【００１２】
さらに本発明による葬儀又は結婚披露宴における故人又は新郎新婦紹介用編集ファイルの簡易作成方法においては、前記作業ウインドウ表示ステップは、前記複数の写真枠の中又は近傍に各写真枠の中にドロップされた写真画像ファイルの画像の編集ファイル中での表示パターンをユーザーが入力するための入力枠をも表示するものであり、前記編集ファイル作成ステップは、前記入力枠により入力された表示パターンに基づいて前記編集ファイルを作成するものである、ことが望ましい。
【発明の効果】
【００１３】
本発明においては、故人又は新郎新婦に関する複数の写真画像ファイルを表示した写真ウインドウと、複数の写真枠を所定の順序で並べて表示するための作業ウインドウを表示するための作業ウインドウとを共に表示した画面上で、前記写真ウインドウの中の所定の写真画像ファイルを選択して前記作業ウインドウ中の所定の写真枠にドロップする作業を繰り返すことにより、前記複数の写真画像ファイルの画像の編集ファイル中での表示順所を入力することができる。したがって、本発明によれば、前記ドロップ作業を行うだけで、葬儀又は結婚披露宴における故人又は新郎新婦紹介編集ファイルが自動的に作成できるようになるので、パソコンなどの知識が乏しい葬儀又は結婚披露宴場の職員などが故人又は新郎新婦紹介編集ファイルを編集・作成する場合でも、極めて容易に且つ短時間内に故人又は新郎新婦紹介編集ファイルの編集・作成できるようになる。また、本発明において、前記作業ウインドウの中の各写真枠に互いに異なる写真画像ファイルがドロップされたとき、その各写真枠の中に前記ドロッブされた各写真画像ファイルの画像を表示するようにしたときは、ユーザーは、前記複数の写真画像ファイル画像の編集ファイル中での表示順序を画面上で容易に視認することができる。
【００１４】
また、本発明によれば、前記作業ウインドウの中の複数の写真枠の中又は近傍に、各写真枠の中にドロップされた写真画像の表示パターンをユーザーが入力するための入力枠を表示するようにしたので、パソコンなどの知識が乏しい葬儀又は結婚披露宴場の職員などが故人又は新郎新婦紹介編集ファイルを編集・作成する場合でも、前記紹介編集ファイル中での前記各写真画像ファイル画像の表示パターン（回転、左から右への移動、フェードインなどの動き）の指定・入力を極めて容易に行えるようになる。
【００１５】
また、本発明によれば、予め用意された背景編集ファイルに含まれる背景画像及び音楽と前記ドロップされた複数の写真画像ファイルとを合成することにより故人又は新郎新婦紹介編集ファイルを作成するようにしたので、単に複数の写真を切り替え表示するだけでなく、葬儀又は結婚披露宴の雰囲気に適した背景画像や音楽と組み合わせた故人又は新郎新婦紹介用編集ファイルを作成することができる。
【００１６】
また、本発明においては、前記作業ウインドウの中の各写真枠に互いに異なる写真画像ファイルがドロップされたとき、課金サーバーにアクセスして所定の支払い情報を送信し、この送信と引き換えに発行される鍵情報を使用して故人又は新郎新婦紹介編集ファイルを編集・作成するようにしている。よって、本発明によれば、前記故人又は新郎新婦紹介編集ファイルの作成ソフトを各葬儀又は結婚披露宴社に予め無料配布しておき、各葬儀又は結婚披露宴社が実際にこのソフトを使用して故人又は新郎新婦紹介編集ファイルの作成を行うときだけ鍵情報の取得のための課金を行うことを通じて同ソフトの使用料金を徴収するというビジネスモデルを成立させることが可能になり、各葬儀又は結婚披露宴社の初期導入時のコスト負担を最小に留め、前記ソフトを多数の葬儀又は結婚披露宴社に利用してもらうことが可能になる。
【００１７】
また、本発明においては、前記課金サーバーは、前記支払い情報を受信するとき、故人又は新郎新婦を識別するための故人又は新郎新婦識別情報をも一緒に受信し、前記課金は前記故人又は新郎新婦識別情報と関連付けて行うようにし、いったん課金した後の所定期間内は、同じ故人又は新郎新婦識別情報の編集ファイルを作成するための鍵情報の要求があったときは新たな課金をすることなく鍵情報の発行を許可するようにしている。よって、本発明によれば、同じ故人又は新郎新婦に関する紹介用編集ファイルであれば新たな課金をすることなく鍵情報を発行してもらえるので、例えば葬儀又は結婚披露宴社の職員が写真の選定を間違えて不良品の故人又は新郎新婦紹介用編集ファイルを作成してしまったなどの場合でも、葬儀又は結婚披露宴社側は、新たに課金されること無しに、写真の選定をやり直して良品の故人又は新郎新婦紹介用編集ファイルを作成することができる。
【発明を実施するための最良の形態】
【００１８】
本発明を実施するための最良の形態は、以下の実施例１について述べるような形態である。
【実施例１】
【００１９】
以下に、本発明の実施例１による葬儀の職員がパソコンを使用して葬儀における故人紹介用編集ファイルを簡易に作成するためのシステムを説明する。本実施例１は葬儀社内に設置されているパソコン、このパソコンに導入されるプログラム、及びこのパソコンとインターネット経由で接続されるサーバーなどにより構成される。図１は本実施例１の全体構成を説明するための概念ブロック図である。図１においては、主として写真画像ファイルなどのデータの流れを中心に図示している。
【００２０】
図１において、１はパソコンのハードディスクなどで構成される写真画像ファイル記録部であって、スキャナ１ａやデジタルビデオカメラ１ｂなどから入力した故人に関する複数の写真データを記録するための写真画像ファイル記録部、２はパソコンのＣＲＴ（ブラウン管）やＬＣＤ（液晶表示装置）などで構成される表示部、３はパソコンのキーボードやマウスなどで構成される入力部、４はパソコンのＣＰＵ及びソフトウェアなどで構成されるインターフェース制御部であって所定のデータを入力するためのインターフェース画面を前記表示部２に表示させるためのインターフェース制御部、である。
【００２１】
また、図１において、５は前記インターフェース制御部４により表示された入力画面上でユーザー（葬儀社の職員）により選択・指定された複数の写真画像ファイル、これらの写真画像ファイル画像の編集ファイル中での表示順序、及びこれらの写真画像ファイル画像の編集ファイル中での表示パターン（回転、左から右への移動、フェードインなど）を記録するための選択写真画像ファイル等記録部、６は前記入力部３により入力された故人の氏名・生年月日・没年月日、及び編集ファイルのオープニング用のテキストデータ及びエンディング用のテキストデータなどを記録するためのテキストデータ記録部、７は故人の写真を表示するときに出力する背景画像及び音楽を記録しておく背景編集ファイル記録部、である。
【００２２】
また、図１において、８は、（ａ）前記選択写真画像ファイル等記録部５からのユーザーにより選択・指定された複数の写真画像ファイル、これらの写真画像ファイル画像の編集ファイル中での表示順序、これらの写真画像ファイル画像の編集ファイル中での表示パターン、（ｂ）前記テキストデータ記録部６からのテキストデータ、及び（ｃ）前記背景画像記録部７からの背景画像及び音楽のデータに基づいて、故人の紹介編集ファイルを編集・作成するための編集ファイル作成部、である。
【００２３】
また、図１において、９は前記入力部３からユーザーによる編集ファイル作成指示情報が入力されたとき、インターネット１０経由で課金サーバー１２にアクセスして課金承認データ（支払い情報）を送信するための課金承認データ送信部、１１は前記課金承認データ送信部９からのアクセス要求が本人からのものかどうかを認証するための認証サーバー、１２は前記認証サーバー１１からの認証済みデータを受信した上で前記課金承認データを受信することにより葬儀社に対して課金するための課金サーバー、１３は前記課金サーバー１２からの課金済みデータに基づいて所定の鍵情報を生成してユーザー側にインターネット１０経由で送信するための鍵情報発行サーバー、１４は前記鍵情報発行サーバー１３から送信されてきた鍵情報を受信して前記編集ファイル作成部８に出力するための鍵情報受信部、１５は前記編集ファイル作成部８により作成された故人紹介編集ファイルをＤＶＤ−ＲＷ、ＣＤ−ＲＷなどの記録媒体に記録するための媒体記録部、である。
【００２４】
次に、本実施例１の動作を図２のフローチャート、及び図３−５の説明図を参照して説明する。葬儀の予定が決まると、葬儀社の職員は、故人の遺族が選んだ例えば１０枚の故人に関する写真を預かり、それらを持ち帰って、図３に示すように、スキャナ１ａなどで取り込みパソコンに写真画像ファイルとして記録する。例えば１０枚の写真をスキャナ１ａで取り込むことにより、１０個の写真画像ファイルがパソコンのハードディスクの一つのフォルダの中に記録される（図２のステップＳ１）。なお、前記写真がビデオカメラ１ｂで撮影されているときは、ＳＤカードやメモリスティックなどの記録媒体に記録された写真画像ファイルをパソコンに転送することにより例えば１０個の写真画像ファイルがパソコンのハードディスクに記録される。
【００２５】
次に、図３に示すように、前記フォルダ内の１０個の写真画像ファイル２１ａを表示したウインドウ２１をパソコンの表示部２に表示させた状態で（図２のステップＳ２）、パソコンに記録されている編集ファイル作成用プログラムを起動させると、例えば１０個の写真枠２２ａが表示された作業ウインドウ２２が画面に表示される（図２のステップＳ３）。図３に示す作業ウインドウ２２では、「写真１」から「写真１０」までの番号を付した計１０個の写真枠２２ａが順番に並べられている。
【００２６】
次に、ユーザー（葬儀社の職員）は、図３に示すように、前記ウインドウ２１の中に表示されている写真画像ファイル２１ａのいずれか一つを選択し、それをマウス操作によるドラッグ＆ドロップの要領で、前記作業ウインドウ２２の中の複数の写真枠２２ａのいずれかにドロップさせる（図２のステップＳ４）。前記選択された写真画像ファイルがどの写真枠２２ａにドロップされたかによって、前記各写真画像ファイルの画像の編集ファイル中での表示順序が指定・入力される。例えば、前記ウインドウ２１の中のある写真画像ファイル２１ａがドラッグされて前記作業ウインドウ２２の「写真３」という番号が付された写真枠２２ａの中にドロップされたときは、その写真画像ファイル２１ａの画像の編集ファイル中での表示順序は３番目と入力され記録される。また、この場合、前記写真枠２２ａにはその中にドロップされた写真画像ファイルの画像が表示されるので、ユーザー（葬儀社の職員）は、前記作業ウインドウ２２の各写真枠２２ａの中に表示される画像を見て、各写真画像ファイルの順序が正しいかどうかを画面上で確認できる。
【００２７】
次に、ユーザー（葬儀社の職員）は、図３に示すように、前記作業ウインドウ２２の各写真枠２２ａの上方に表示された表示パターン選択用チェックボックス２２ｂのいずれかにチェック・マークを入力する（図２のステップＳ５）。このチェック・マークの入力により、前記各写真枠２２ａにドロップされた各写真が編集ファイルの中で表示されるときの表示パターン（回転、左から右へ移動、フェードインなど）が入力され記録される。
【００２８】
次に、ユーザー（葬儀社の職員）が前記作業ウインドウ２２の下方の「次へ」と表示されたボタン２２ｃをクリックすると、図４に示すようなテキスト入力枠２３が画面に表示される。ユーザー（葬儀社の職員）は、このテキスト入力枠２３の中に、故人の氏名・生年月日・没年月日などの基本情報を入力し（図２のステップＳ６）、さらに編集ファイルのオープニング時に表示するテキスト情報及び編集ファイルのエンディング時に表示するテキスト情報を入力し記録する（図２のステップＳ７）。
【００２９】
次に、ユーザー（葬儀社の職員）が前記テキスト入力枠２３の下方の「次へ」と表示されたボタン２３ａをクリックすると、編集ファイル作成指示情報が入力される（図２のステップＳ８）。すると、図５に示すように、本実施例１のビテオ作成プログラムに含まれるインターネット接続機能が自動的に立ち上がり、インターネット１０経由でサーバー２５にアクセスする。このアクセス要求に対応してサーバー２５側から送信されてくる本人認証要求により、ユーザー（葬儀社の職員）側のパソコン画面には、前記テキスト入力枠２３の上に、ＩＤとパスワードの入力と送信を要求するダイアログボックス２４が表示される（図５参照）。そこで、ユーザー（葬儀社の職員）がこのダイアログボックス２４に自社のＩＤと適正なパスワードを入力して送信すると、前記サーバー２５により、ユーザー認証、課金処理、及び鍵情報の発行・送信が行われる（図２のステップＳ９，Ｓ１０）。なお、前記の課金処理では、例えば、サーバー２５側からユーザーである葬儀社側に、葬儀社側が予め前記サーバー２５側に登録しておいた自己のクレジットカード番号による支払い処理を行うことの承認を求めるダイアログボックスの情報が送信され、ユーザー側でこの承認情報を送信することにより、前記支払いが行われる（この場合は、前記の承認情報の送信が「支払い情報」の送信となる）。
【００３０】
前記サーバー２５からの鍵情報を受信すると、前記編集ファイル作成部８（図１参照）による編集ファイルの編集・作成が行われる（図２のステップＳ１１）。編集ファイルの編集・作成が行われると、ユーザー（葬儀又は結婚披露宴社の職員）のパソコンの画面の前記テキスト入力枠２３の上に、図５に示すような保存先（出力先）選択用のダイアログボックス２６が表示される。ユーザー（葬儀又は結婚披露宴社の職員）がこのダイアログボックス２６で要求された出力先フォルダを選択し「保存」ボタンをクリックすることにより、編集ファイルのハードディスクなどへの保存が行われる。また、ユーザー（葬儀又は結婚披露宴社の職員）は、さらに、ＤＶＤレコーダ２７などを使用して、一つ又は複数のＤＶＤ２８に前記編集ファイルを記録させる（図２のステップＳ１２）。このようにして作成したＤＶＤ２８は、葬儀又は結婚披露宴のときに故人紹介用編集ファイルとしてプロジェクターでスクリーンなどに映写する（又は薄型テレビなどのディスプレイに表示する）ために使用すると共に、葬儀又は結婚披露宴の終了後に遺族に顧客サービスの一環として配布することができる。
【００３１】
以上、本発明の各実施例について説明したが、本発明及び本発明を構成する各構成要件は、それぞれ、前記の各実施例及び前記の各実施例を構成する各要素として述べたものに限定されるものではなく、様々な変更が可能である。例えば、前記実施例１では、前記作業ウインドウ２２中の１０個の写真枠２２ａを使用して各写真画像ファイル画像の編集ファイル中での表示順序を入力すると共に、前記各写真枠２２ａの中のチェックボックス２２ｂを使用して各写真画像ファイル画像の編集ファイル中での表示パターンを入力するようにしているが、本発明では、さらに、前記各写真枠２２ａの中又は近傍に、各写真画像ファイル画像の編集ファイル中での表示時間をも選択できる入力枠を表示させて、この入力枠により入力された表示時間をも要素として故人紹介編集ファイルを編集・作成するようにしてもよい。
【００３２】
また、前記実施例１では葬儀社の職員が故人紹介用編集ファイルを作成する場合のシステム及び方法について説明したが、本発明は、結構披露宴会場の職員が新郎新婦紹介用編集ファイルを作成する場合のシステム及び方法として利用できることは勿論である。
【図面の簡単な説明】
【００３３】
【図１】本発明の実施例１による葬儀における故人紹介編集ファイル簡易作成システムの全体構成を説明するための概念ブロック図。
【図２】本実施例１の動作を説明するためのフローチャート。
【図３】本実施例１の動作を説明するための説明図。
【図４】本実施例１の動作を説明するための説明図。
【図５】本実施例１の動作を説明するための説明図。
【符号の説明】
【００３４】
１ａ      スキャナ
１ｂ      デジタルビデオカメラ
１          写真画像ファイル記録部
２          表示部
３          入力部
４          インターフェース制御部
５          選択写真画像ファイル等記録部
６          テキストデータ記録部
７          背景画像記録部
８          編集ファイル作成部
９          課金承認データ送信部
１０      インターネット
１１      認証サーバー
１２      課金サーバー
１３      鍵情報発行サーバー
２１      ウインドウ
２１ａ  写真画像ファイル
２２      作業ウインドウ
２２ａ  写真枠
２２ｂ  表示パターン選択用チェックボックス
２２ｃ，２３ａ ボタン
２３      テキスト入力枠
２４，２６         ダイアログボックス
２５      サーバー
２７      ＤＶＤレコーダ
２８      ＤＶＤ
【図１】
2006202045.tif 000003
【図２】
2006202045.tif 000004
【図３】
2006202045.tif 000005
【図４】
2006202045.tif 000006
【図５】
2006202045.tif 000007